【手続補正書】
【提出日】平成17年8月5日(2005.8.5)
【手続補正１】
【補正対象書類名】明細書
【補正対象項目名】発明の名称
【補正方法】変更
【補正の内容】
【発明の名称】インクジェット記録装置
【手続補正２】
【補正対象書類名】明細書
【補正対象項目名】特許請求の範囲
【補正方法】変更
【補正の内容】
【特許請求の範囲】
【請求項１】
記録手段から被記録材へインクを吐出して記録を行うインクジェット記録装置において、
記録手段をキャッピングするためのキャッピング手段に連結される負圧発生手段としてのチューブポンプを備え、
前記チューブポンプは、前記吸引チューブの這いまわしを案内するための円筒状の加圧ガイドと、前加圧ガイドに沿って配置された吸引チューブを該加圧ガイドに向けて押圧する押圧コロと、該押圧コロを軸支して回転することで前記吸引チューブをしごくことにより該吸引チューブ内に負圧を発生させる押圧コロ支持部材と、を具備し、
前記チューブは前記記録手段の複数の吐出口列に対応して複数本設けられ、
前記加圧ガイドの内周径は前記吸引チューブにより異なる径で形成され、前記吸引チューブは前記加圧ガイドの円筒状の内周面の全周に沿って螺旋状に這いまわされており、
前記吸引チューブの押圧は前記加圧ガイドの内周面の全周でなされ、該加圧ガイドの全周で前記吸引チューブ内に負圧を発生させ得ることを特徴とするインクジェット記録装置。
【請求項２】
前記内周径が異なる各加圧ガイドは一体の加圧ガイドで構成されることを特徴とする請求項１に記載のインクジェット記録装置。
【請求項３】
前記加圧ガイドは前記吸引チューブが這いまわされた状態で透視可能な部材により形成されることを特徴とする請求項１又は２に記載のインクジェット記録装置。
【請求項４】
前記吸引チューブの内径は、連通される記録手段の吐出口列により異なることを特徴とする請求項１〜３のいずれかに記載のインクジェット記録装置。
【請求項５】
前記押圧コロ支持部材と前記押圧コロは、一方向に回転することで前記吸引チューブの押しつぶしを行い、逆方向に回転することで前記吸引チューブを開放することを特徴とする請求項１〜４のいずれかに記載のインクジェット記録装置。
【請求項６】
前記押圧コロは前記押圧コロ支持部材のカム面に支持されていることを特徴とする請求項１〜５のいずれかに記載のインクジェット記録装置。
【請求項７】
前記押圧コロ支持部材のカム面は、押圧される吸引チューブにより位相が異なることを特徴とする請求項１〜６のいずれかに記載のインクジェット記録装置。
【請求項８】
前記押圧コロ支持部材は、押圧される吸引チューブ毎に分割して構成されていることを特徴とする請求項１〜７のいずれかに記載のインクジェット記録装置。
【請求項９】
前記加圧ガイドの内周面に沿って螺旋状に這いまわされている吸引チューブの交差点は、吸引チューブにより位相が異なることを特徴とする請求項１〜８のいずれかに記載のインクジェット記録装置。
【手続補正３】
【補正対象書類名】明細書
【補正対象項目名】０００１
【補正方法】変更
【補正の内容】
【０００１】
【発明の属する技術分野】
本発明は、記録手段から被記録材へインクを吐出して記録を行うインクジェット記録装置に関し、詳しくは、記録手段をキャッピングするためのキャッピング手段に連結される負圧発生手段としてのチューブポンプを備えるインクジェット記録装置に関する。
【手続補正４】
【補正対象書類名】明細書
【補正対象項目名】０００６
【補正方法】変更
【補正の内容】
【０００６】
図７は本発明を適用する前のインクジェット記録装置のチューブポンプの構成を示す模式的断面図であり、図９は本発明を適用する前のインクジェット記録装置の縦断面図であり、図１０は本発明を適用する前のインクジェット記録装置の模式的斜視図である。
図７、図９及び図１０において、略コ字状のシャーシ５０１の両側壁には、キャリッジ５０６を摺動自在に支持するガイドシャフト５０４が配設されている。シャーシ５０１のガイド部とガイドシャフト５０４上を主走査方向に往復移動するキャリッジ５０６の駆動力は、駆動ベルト５１０を介して不図示のＣＲモータから与えられる。キャリッジ５０６の位置は、シャーシ５０１に付勢された状態で配設されたエンコーダ５０７とキャリッジ基板上に配設されたセンサにより電気的に制御される。
【手続補正５】
【補正対象書類名】明細書
【補正対象項目名】００１５
【補正方法】変更
【補正の内容】
【００１５】
本発明はこのような技術的課題に鑑みてなされたものであり、本発明の目的は、小型で簡単かつ安価な構成で、記録手段をキャッピングするキャッピング手段に適正な負圧吸引力を安定的にかつ迅速に供給することができ、複数の吐出口列を有する記録手段に対しても、各吐出口列ごとに吸引回復処理や空吸引動作を効果的に実行することができるインクジェット記録装置を提供することである。
【手続補正６】
【補正対象書類名】明細書
【補正対象項目名】００１６
【補正方法】変更
【補正の内容】
【００１６】
本発明は、上記目的を達成するため、記録手段から被記録材へインクを吐出して記録を行うインクジェット記録装置において、記録手段をキャッピングするためのキャッピング手段に連結される負圧発生手段としてのチューブポンプを備え、前記チューブポンプは、前記吸引チューブの這いまわしを案内するための円筒状の加圧ガイドと、前加圧ガイドに沿って配置された吸引チューブを該加圧ガイドに向けて押圧する押圧コロと、該押圧コロを軸支して回転することで前記吸引チューブをしごくことにより該吸引チューブ内に負圧を発生させる押圧コロ支持部材と、を具備し、前記チューブは前記記録手段の複数の吐出口列に対応して複数本設けられ、前記加圧ガイドの内周径は前記吸引チューブにより異なる径で形成され、前記吸引チューブは前記加圧ガイドの円筒状の内周面の全周に沿って螺旋状に這いまわされており、前記吸引チューブの押圧は前記加圧ガイドの内周面の全周でなされ、該加圧ガイドの全周で前記吸引チューブ内に負圧を発生させ得ることを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００５６
【補正方法】変更
【補正の内容】
【００５６】
【発明の効果】
以上の説明から明らかなごとく、本発明によれば、記録手段から被記録材へインクを吐出して記録を行うインクジェット記録装置において、記録手段をキャッピングするためのキャッピング手段に連結される負圧発生手段としてのチューブポンプを備え、前記チューブポンプは、前記吸引チューブの這いまわしを案内するための円筒状の加圧ガイドと、前加圧ガイドに沿って配置された吸引チューブを該加圧ガイドに向けて押圧する押圧コロと、該押圧コロを軸支して回転することで前記吸引チューブをしごくことにより該吸引チューブ内に負圧を発生させる押圧コロ支持部材と、を具備し、前記チューブは前記記録手段の複数の吐出口列に対応して複数本設けられ、前記加圧ガイドの内周径は前記吸引チューブにより異なる径で形成され、前記吸引チューブは前記加圧ガイドの円筒状の内周面の全周に沿って螺旋状に這いまわされており、前記吸引チューブの押圧は前記加圧ガイドの内周面の全周でなされ、該加圧ガイドの全周で前記吸引チューブ内に負圧を発生させ得る構成としたので、
小型で簡単かつ安価な構成で、記録手段をキャッピングするキャッピング手段に適正な負圧吸引力を安定的にかつ迅速に供給することができ、複数の吐出口列を有する記録手段に対しても、各吐出口列ごとに吸引回復処理や空吸引動作を効果的に実行することができるインクジェット記録装置が提供される。
【手続補正９】
【補正対象書類名】明細書
【補正対象項目名】００５７
【補正方法】削除
【補正の内容】
【手続補正１０】
【補正対象書類名】明細書
【補正対象項目名】００５８
【補正方法】削除
【補正の内容】
【手続補正１１】
【補正対象書類名】明細書
【補正対象項目名】００５９
【補正方法】削除
【補正の内容】
【手続補正１２】
【補正対象書類名】明細書
【補正対象項目名】００６０
【補正方法】削除
【補正の内容】
【手続補正１３】
【補正対象書類名】明細書
【補正対象項目名】００６１
【補正方法】削除
【補正の内容】